(57)【要約】【課題】  洗浄槽の収容能力を落とさず、蓋を移動させる機構を必要とせず簡易な構成によって、洗浄液が漏れず、かつ、蓋と洗浄槽が擦れ合わない技術を実現する。【解決手段】  蓋１４の右垂下壁１４ａの下面１４αと左垂下壁１４ｃの下面１４γが、それぞれ右フランジ１８ａの受け面１８αと図示しない左フランジ１８ｃの受け面１８γに当接して洗浄槽１６に蓋をする。右垂下壁１４ａと上蓋壁１４ｅと左垂下壁１４ｂは、それぞれ洗浄槽１６の右側壁１６ａと上部開口１６ｆと左側壁１６ｃとの間に多少の隙間を存して、洗浄槽１６の引出し及び収容動作と干渉しない。洗浄槽１６の上部開口１６ｆから漏洩した洗浄液は、受け面１８α，１８γで受けられる。フランジ１８ａ，１８ｃは前方から後方に向かって下方に傾斜しているため、漏洩洗浄液は後方に誘導され、排出孔１９ａ，１９ｃから洗浄槽１６内に戻される。【選択図】  図３
2005118079.tif 000002
【特許請求の範囲】
【請求項１】
食器洗浄機本体の前面開口から前方に引出し可能であり、前壁と左右両側壁と後壁とから成る周壁と、底壁とを有し、上部が開口した箱状に形成された洗浄槽と、
洗浄槽の上部開口を覆う上蓋壁と、洗浄槽の左右両側壁を外側から覆う左右両垂下壁と、洗浄槽の後壁を外側から覆う後垂下壁を有し、上蓋壁と左右両垂下壁が、洗浄槽の引出し及び収容動作と干渉しないだけの隙間を洗浄槽との間に存して前記食器洗浄機本体に設けられた洗浄槽の蓋と、
洗浄槽の前部に設けられ、洗浄槽が食器洗浄機本体に収容されたときに、前記蓋の上蓋壁の前端と左右両垂下壁の前端とで構成される前面開口を閉塞する閉塞体と、
洗浄槽の外面に設けられ、洗浄槽の上部開口から漏洩した洗浄液を受けるフランジと、
フランジで受けた洗浄液を排出する排出手段と、
を備える食器洗浄機。
【請求項２】
前記閉塞体は、前記洗浄槽の前部に設けられた扉であることを特徴とする請求項１の食器洗浄機。
【請求項３】
前記閉塞体は、前記洗浄槽の前壁から延設された拡大壁であることを特徴とする請求項１の食器洗浄機。
【請求項４】
前記フランジは、前記洗浄槽の左右両側壁の外面に設けられていることを特徴とする請求項１から３のいずれかの食器洗浄機。
【請求項５】
前記フランジは、前方から後方に向かって下方に傾斜して設けられていることを特徴とする請求項４の食器洗浄機。
【請求項６】
前記フランジは、前記洗浄槽の左右両側壁の外面に設けられたフランジのそれぞれの後端を繋ぐ、前記洗浄槽の後壁の外面に設けられたフランジをさらに含むことを特徴とする請求項４または５の食器洗浄機。
【請求項７】
前記排出手段は、
前記洗浄槽の壁に設けられ、前記フランジで受けた洗浄液を前記洗浄槽に戻す排出孔であることを特徴とする請求項１から６のいずれかの食器洗浄機。
【請求項８】
前記排出手段は、
前記フランジに設けられ、フランジで受けた洗浄液を前記洗浄槽外に排出する排出孔と、
一端が前記排出孔に接続され、他端が前記洗浄槽から洗浄済み洗浄液をポンプで排水する排水通路に接続された誘導通路と、
から構成されることを特徴とする請求項１から６のいずれかの食器洗浄機。
【請求項９】
前記蓋の垂下壁の下面と前記フランジとが当接することを特徴とする請求項１から８のいずれかの食器洗浄機。
【請求項１０】
前記洗浄槽の壁の内面上部に、当該内面を伝って上昇する洗浄液を下方に返す返し部が設けられていることを特徴とする請求項１から９のいずれかの食器洗浄機。
【請求項１１】
前記蓋の上蓋壁の下面外縁部に、当該下面を伝って垂下壁の内面方向に移動する洗浄液を洗浄槽内に返す返し部が設けられていることを特徴とする請求項１から１０のいずれかの食器洗浄機。
【発明の詳細な説明】
【技術分野】
【０００１】
本発明は、食器洗浄機に関する。
【背景技術】
【０００２】
食器洗浄機は、食器等を中に収容して洗浄を行なうための洗浄槽を備えている。洗浄槽では、洗浄液を使用して食器等の洗浄を行なう。このとき洗浄液が洗浄槽から漏れると、食器洗浄機に備えられている電気系統に悪影響を及ぼしたり、洗浄液に含まれる洗浄成分が付着してカビが発生したりする。したがって、洗浄槽から洗浄液が漏れるのを防止するために、食器洗浄機には、洗浄槽と共に、洗浄槽を閉塞する蓋が備えられている。
近年、洗浄槽を食器洗浄機本体の前面開口から手前に引出すことによって食器等の出入を可能とした引出しタイプが多く採用されている。この引出しタイプの食器洗浄機では、洗浄槽を洗浄機本体に収容したときは、蓋が洗浄槽の上部開口を水密に閉塞する必要がある。一方、洗浄槽を食器洗浄機本体から引出したり収容したりする際には、蓋が洗浄槽の上部開口から離れ、洗浄槽と擦れ合わないようにする必要がある。
【０００３】
そこで蓋が洗浄槽の閉塞動作に追従して動くようにする機構がある。例えば特許文献１には、洗浄槽が引出し位置から収容位置に収容される際には、その動作に連動して蓋が降下し、蓋が洗浄槽の上縁に押し付けられて洗浄槽を閉塞する一方、洗浄槽が収容位置から引出し位置に引出される際には、その動作に連動して蓋が上昇する技術が開示されている。この技術では、蓋を昇降移動させるための特別な機構を要する。この機構は複雑であり、またそのためのスペースを取らなければならないし、製造コストも余分にかかる。
このことから、蓋と洗浄槽の形状自体を工夫することで、蓋を昇降移動させるための機構を必要とすることなく、洗浄液を漏らさず、かつ、蓋と洗浄槽が擦れ合わないという２つの要求を満足する技術が開発されている。例えば、特許文献２に記載されている食器洗浄機では、図１９の側面図に示すように、洗浄槽の蓋の下面を前方から後方に傾斜させ、その傾斜に併せて洗浄槽の上面も前方から後方に傾斜させている。この技術によれば、簡易な構成による蓋によって、洗浄槽を確実に閉塞でき、かつ、洗浄槽の引出し及び収容動作によっても蓋と洗浄槽が擦れ合うことがない。
【特許文献１】特開２００１−２７５９１２号公報
【特許文献２】国際公開第ＷＯ／９８／３３４２６号パンフレット
【発明の開示】
【発明が解決しようとする課題】
【０００４】
上記の特許文献２の技術では、蓋の形状に合わせて、洗浄槽の上面を前方から後方に傾斜させている。すなわち、洗浄槽の後部に行くにしたがって左右の両側壁が低くなり、後壁も前壁より低く形成されている。このため、洗浄槽の奥では背の高い食器等の上端が洗浄槽の周壁の上面よりも突出し、食器等が傾くとこの上端が洗浄槽の上部開口から側方に出てしまう。これを避けようとすると背の低い食器等しか収容できないこととなり、箱状の洗浄槽に比して収容能力が減少する。
収容能力が減少すると一度に洗浄できる食器等の数が制限されてしまうため、洗浄回数が増大して省エネルギーに反するばかりか、洗浄コストもアップする。
【０００５】
本発明は、洗浄槽の収容能力を落とさずに、しかも、蓋を移動させる機構を必要とせず簡易な構成によって、洗浄液が漏れず、かつ、蓋と洗浄槽が擦れ合わないという要求を満足する技術を実現する。
【課題を解決するための手段】
【０００６】
（課題を解決するための手段と作用と効果）  本発明によって創作された食器洗浄機は、食器洗浄機本体の前面開口から前方に引出し可能であり、前壁と左右両側壁と後壁とから成る周壁と、底壁とを有し、上部が開口した箱状に形成された洗浄槽と、洗浄槽の上部開口を覆う上蓋壁と、洗浄槽の左右両側壁を外側から覆う左右両垂下壁と、洗浄槽の後壁を外側から覆う後垂下壁を有し、上蓋壁と左右両垂下壁が、洗浄槽の引出し及び収容動作と干渉しないだけの隙間を洗浄槽との間に存して前記食器洗浄機本体に設けられた洗浄槽の蓋と、洗浄槽の前部に設けられ、洗浄槽が食器洗浄機本体に収容されたときに、前記蓋の上蓋壁の前端と左右両側壁の前端とで構成される前面開口を閉塞する閉塞体と、洗浄槽の外面に設けられ、洗浄槽の上部開口から漏洩した洗浄液を受けるフランジと、フランジで受けた洗浄液を排出する排出手段とを備える。
【０００７】
本食器洗浄機の洗浄槽は、上部が開口した箱状に形成されているために、前壁と左右両側壁と後壁とから成る周壁の高さが減少することがなく、したがって収容能力が減少することはない。
洗浄槽の蓋は、その上蓋壁と左右両垂下壁が、洗浄槽の引出し及び収容動作と干渉しないだけの隙間を洗浄槽との間に存して食器洗浄機本体に設けられているために、洗浄槽と擦れ合うことがない。
洗浄槽の前部に設けられた閉塞体が、洗浄槽が食器洗浄機本体に収容されたときに、前記蓋の上蓋壁の前端と左右両側壁の前端とで構成される前面開口を閉塞するため、洗浄槽の洗浄液が蓋の前面開口から漏れることが防止される。また、洗浄槽の外面に設けられ、洗浄槽の上部開口から漏洩した洗浄液を受けるフランジが、洗浄槽の上部開口から漏洩した洗浄液を受け、排出手段がフランジで受けた洗浄液を排出するために、洗浄液がフランジよりも下に漏れることが防止される。
本食器洗浄機では、洗浄槽の収容能力が落ちず、蓋を移動させる機構を必要とせず、フランジを設けるという簡易な構成によって、洗浄液が漏れることなく、かつ、洗浄槽の引出し及び収容の際に蓋と洗浄槽が擦れ合うことがない。
【０００８】
前記閉塞体は、前記洗浄槽の前部に設けられた扉であることが好ましい。
引出しタイプの食器洗浄機では、洗浄槽の前部に引出し／収容用の取っ手等を備える扉を設けることが多い。この扉を活用すれば、特別な構成を必要とせずに、洗浄槽に閉塞体を設けることができることとなる。
【０００９】
前記閉塞体は、前記洗浄槽の前壁から延設された拡大壁であることが好ましい。
洗浄槽の前壁から拡大壁を延設するという簡易な構成によって、蓋の前面開口を閉塞することができ、蓋の前面開口から洗浄槽の洗浄液が漏れるのを防止することができる。
【００１０】
前記フランジは、前記洗浄槽の左右両側壁の外面に設けられていることが好ましい。
洗浄槽の上部開口から左右方向に漏れた洗浄液がフランジよりも下に漏れることが防止される。
【００１１】
前記フランジは、前方から後方に向かって下方に傾斜して設けられていることが好ましい。
フランジが前方から後方に向かって下方に傾斜していれば、受けた洗浄液を容易に後方に誘導することができる。後方に誘導された洗浄液は、排出手段によって排出される。
【００１２】
前記フランジは、前記洗浄槽の左右両側壁の外面に設けられたフランジのそれぞれの後端を繋ぐ、前記洗浄槽の後壁の外面に設けられたフランジをさらに含むことが好ましい。
左右両側壁の外面に設けられたフランジで受けられた洗浄液を、集中的に収集することができる。
【００１３】
前記排出手段は、前記洗浄槽の壁に設けられ、前記フランジで受けた洗浄液を前記洗浄槽に戻す排出孔であることが好ましい。
フランジで受けた洗浄液は、洗浄槽の壁に設けられた排出孔から、洗浄槽の中に戻される。
【００１４】
前記排出手段は、前記フランジに設けられ、フランジで受けた洗浄液を前記洗浄槽外に排出する排出孔と、一端が前記排出孔に接続され、他端が前記洗浄槽から洗浄済み洗浄液をポンプで排水する排水通路に接続された誘導通路とから構成されることが好ましい。
通常の食器洗浄機には、洗浄槽から洗浄済み洗浄液を排水するポンプが備えられている。したがって、フランジに排出孔を設け、排出孔から誘導通路によって洗浄液を排水ポンプに誘導すれば、フランジで受けた洗浄液を確実に排出することができる。
【００１５】
前記蓋の垂下壁の下面と前記フランジとが当接することが好ましい。
この構成によれば、洗浄液がフランジよりも下に漏れることがより確実に防止される。
【００１６】
前記洗浄槽の壁の内面上部に、当該内面を伝って上昇する洗浄液を下方に返す返し部が設けられていることが好ましい。
これにより、洗浄槽の上部開口から洗浄液が漏れることが効果的に防止される。
【００１７】
前記蓋の上蓋壁の下面外縁部に、当該下面を伝って垂下壁の内面方向に移動する洗浄液を洗浄槽内に返す返し部が設けられていることが好ましい。
これにより、蓋の上蓋壁の下面を伝って洗浄液が漏れることが効果的に防止される。
【発明を実施するための最良の形態】
【００１８】
以下に説明する実施例の主要な特徴を最初に列記する。
（形態１）前記排出手段は、前記蓋の左右両垂下壁の後端部に設けられた排出孔と、一端が前記排出孔に接続され、他端が前記洗浄槽から洗浄済み洗浄液をポンプで排水する排水通路に接続された誘導通路とから構成される。
【実施例】
【００１９】
（第１実施例）以下に、本発明を具現化した第１実施例の食器洗浄機について説明をする。
図１は、食器洗浄機１０の洗浄槽が本体１２に収容された状態を示している。洗浄槽の前面の扉１７には、洗浄槽を引出し／収容するための取っ手１７ａと、操作パネル１７ｂが設けられている。操作パネル１７ｂを操作すると、食器洗浄機１０の運転の開始や停止、洗浄時間の設定等を行なうことができる。本体１２は、図示しないローラとレールを介して洗浄槽を前後にスライド可能に支持しており、取っ手１７ａを手前方向に引くと、図２に示すように、本体１２から扉１７とともに洗浄槽１６を引出すことができる。
【００２０】
図２に示すように、洗浄槽１６は、上部が開口した箱状に形成されており、上部開口から食器１５等を出入することができる。洗浄槽１６の蓋１４は本体１２の上部に固定されており、洗浄槽１６の引出し及び収容動作を干渉しない大きさに形成されている。蓋１４は、洗浄槽１６が本体１２の収容位置に戻されると、洗浄槽１６の上部開口を覆って蓋をする。洗浄槽１６の左右両側壁面の外面に設けられたフランジ１８は、洗浄槽１６が本体１２の収容位置に戻されると、蓋１４の垂下壁の下面と当接する。
【００２１】
図３と図４に、蓋１４と洗浄槽１６の概略分解斜視図を示す。図３は前方から見たときの概略分解斜視図であり、図４は後方から見たときの概略分解斜視図である。なおこれらの図では、通常において食器洗浄機が有する部品が適宜省略されている。
蓋１４は、右垂下壁１４ａと、後垂下壁１４ｂと、左垂下壁１４ｃと、前枠１４ｄと、上蓋壁１４ｅから構成されている。右垂下壁１４ａの下面１４αと左垂下壁１４ｃの下面１４γは、前方から後方へ向かって同じ角度で下方に傾斜している。後垂下壁１４ｂの下面１４βは、右垂下壁１４ａの下面１４αの後端と左垂下壁１４ｃの下面１４γの後端を連結した直線状に水平に形成されている。前枠１４ｄは、上蓋壁１４ｅの前端と右垂下壁１４ａの前端と左垂下壁１４ｃの前端とで構成されている。前枠１４ｄによって形成される蓋１４の前面開口は、洗浄槽１６を本体１２の収容位置に収容したときに、扉１７の後面１７ｄによって閉塞される。
洗浄槽１６は、同じ高さの右側壁１６ａと後壁１６ｂと左側壁１６ｃと前壁１６ｄとから成る周壁と、図示しない底壁から構成されている。周壁は、その上端によって上部開口１６ｆを形成する。周壁のうち右側壁１６ａと左側壁１６ｃには、それぞれ右フランジ１８ａと左フランジ１８ｃが設けられている。右フランジ１８ａは、蓋１４の右垂下壁１４ａの下面１４αと同角度で前方から後方へ向かって下方に傾斜しており、左フランジ１８ｃは、蓋１４の左垂下壁１４ｃの下面１４γと同角度で前方から後方へ向かって下方に傾斜している。洗浄槽１６の右側壁１６ａには、右フランジ１８ａの受け面１８αの後端部よりも上に右排出孔１９ａ設けられており、左側壁１６ｃには、左フランジ１８ｃの受け面１８γの後端部よりも上に左排出孔１９ｃが設けられている。また、洗浄槽１６の前部には、扉１７が設けられている。扉１７は、その後面１７ｄによって蓋１４の前面開口を閉塞する閉塞体となる。
洗浄槽１６が本体１２の収容位置に戻されると、蓋１４の右垂下壁１４ａの下面１４αが右フランジ１８ａの受け面１８αに当接し、下面蓋１４の左垂下壁１４ｃの下面１４γが左フランジ１８ｃの受け面１８γに当接する。また、蓋１４の前枠１４ｄが扉１７の後面１７ｄに当接し、蓋１４の後垂下壁１４ｂの内面が洗浄槽１６の後壁１６ｂの外面に当接する。これにより、蓋１４が洗浄槽１６を密閉する。
【００２２】
図５は、蓋１４と洗浄槽１６の収容状態の概略断面図であり、図３と図４の蓋１４と洗浄槽１６を組合せたＡ−Ａ概略断面図に相当する。
蓋１４の右垂下壁１４ａと上蓋壁１４ｅと左垂下壁１４ｃは、それぞれ洗浄槽１６の右側壁１６ａと上部開口１６ｆと左側壁１６ｃとの間に多少の隙間が開くように形成されており、洗浄槽１６の引出し及び収容動作と干渉しない。
洗浄槽１６が収容位置に戻されて食器等の洗浄が行われると、上部開口１６ｆと蓋１４の上蓋壁１４ｅとの隙間から、洗浄液が漏洩することがある。右側壁１６ａ方向に漏洩した洗浄液は、蓋１４の右垂下壁１４ａの内側の隙間を下降し、フランジ１８ａの受け面１８αで受けられる。左側壁１６ｃ方向に漏洩した洗浄液は、蓋１４の左垂下壁１４ｃの内側の隙間を下降し、フランジ１８ｃの受け面１８γで受けられる。右フランジ１８ａと左フランジ１８ｃは前方から後方に向かって下方に傾斜しているため、それぞれのフランジの受け面１８α，１８γで受けられた漏洩洗浄液は、後方に誘導される。
【００２３】
図６（１）は、蓋１４と洗浄槽１６の収容状態の右側後部の側面図である。なお、蓋１４と洗浄槽１６の左側後部も同様の構成となっているため、重複説明を省略する。
蓋１４の後垂下壁１４ｂの内面と洗浄槽１６の後壁１６ｂの外面は隙間なく密着している。このため、右フランジ１８ａの受け面１８αを後方に誘導された漏洩洗浄液は、右フランジ１８ａの後端よりも後方へは移動しない。右フランジ１８ａの後端に達した漏洩洗浄液は、洗浄槽１６の右側壁１６ａに設けられた右排出孔１９ａから洗浄槽１６内に導入される。
【００２４】
図６（２）は、（１）のＢ−Ｂ概略断面図であり、排出孔１９ａの様子を詳細に示している。
洗浄槽１６の右側壁１６ａの内面に、排出孔１９ａに対する前面逆流防止部２０ａと下面逆流防止部２２ａが設けられている。前面逆流防止部２０ａによって排出孔１９ａに流入しようとする洗浄液が遮断され、下面逆流防止部２２ａによって右側壁１６ａの内面を伝って上昇する洗浄液が返されるため、両者は一体となって洗浄液が排出孔１９ａを介して外面に漏洩しようとするのを防止する。
それでも洗浄液が排出孔１９ａを逆流して外へ漏れ出した場合は、蓋１４の右垂下壁１４ａと右フランジ１８ａで受け止められて、再度排出孔１９ａから洗浄槽内へ戻される。
【００２５】
続いて、図７の概略断面図を参照して、洗浄槽１６の動作を簡単に説明する。なおこの図では、通常において食器洗浄機が有する部品が適宜省略されている。
図７（１）は、洗浄槽１６が本体１２から引出された状態を示す。蓋１４の右垂下壁１４ａと図示しない左垂下壁１４ｃの下面が前方から後方に向かって下方に傾斜しており、右フランジ１８ａと図示しない左フランジ１８ｃも同じ角度で前方から後方に向かって下方に傾斜しているため、（２）のように洗浄槽１６が収容位置に戻されるときも、下面１４α，１４γがそれぞれ受け面１８α，１８γと擦れ合うことなくスムーズにスライドされる。また収容位置に戻された洗浄槽１６は、蓋１４によって密閉される。
【００２６】
以上のように、本実施例の食器洗浄機では、洗浄槽が一様の高さの周壁から構成される箱状に形成されているために、収容能力が落ちない。また、洗浄槽に傾斜したフランジを設けることによって、簡易な構成でも洗浄液が漏れることなく、かつ、蓋と洗浄槽が擦れ合うことがない。
【００２７】
（蓋と洗浄槽の変形例）次に、図８の断面図を参照して、蓋と洗浄槽の変形例を説明する。ここでは主に、前記した蓋１４と洗浄槽１６との相違点について説明し、その他の同様な構成については同一符号を付すことによって説明を省略する。
洗浄槽２６には、内面の上端に、右側壁２６ａと図示しない後壁２６ｂと左側壁２６ｃと前壁２６ｄを一巡する返し部２２が設けられている。返し部２２は、洗浄槽２６の内面を伝って上昇する洗浄液を下方に返す。このため、洗浄液が洗浄槽２６の上部開口から漏洩することが効果的に防止される。
また、蓋２４には、返し部２２と多少の隙間を開けた位置に、上蓋壁２４ｅの下面を一巡する返し部２０が設けられている。返し部２０は、蓋２４の下面を伝って右垂下壁２４ａや左垂下壁２４ｃ方向に移動する洗浄液を洗浄槽内に返す。このため、洗浄液が蓋２４の下面を伝って漏洩することが効果的に防止される。
【００２８】
次に、図９から図１１の断面図を参照して、フランジの変形例を説明する。ここでは主に、前記したフランジ１８との相違点について説明し、その他の同様な構成については同一符号を付すことによって説明を省略する。なお、これらの各フランジの変形例は、フランジ１８ａ，１８ｃのように、蓋１４の垂下壁１４ａ，１４ｃの下面１４α，１４γの傾斜角度と同じ角度で前方から後方に向かって下方に傾斜しているものとする。
【００２９】
（フランジ変形例１）図９の右フランジ２８ａには、右側壁１６ａと隙間ｇを存してシール部材３０ａが受け面２８αに配置されている。左フランジ２８ｃには、左側壁１６ｃと隙間ｇを存してシール部材３０ｃが受け面２８γに配置されている。それぞれのシール部材３０ａ，３０ｃは右垂下壁１４ａの下面１４αと左垂下壁１４ｃの下面１４γと当接して密閉している。
このように受け面２８α，２８γにシール部材３０ａ，３０ｃを配置することで、受け面２８α，２８γで受けられた洗浄液が外側に漏れてしまうことがより確実に防止される。
なおこの例では、左右両側壁１６ａ，１６ｃと隙間ｇを存してシール部材３０ａ，３０ｃを受け面の外縁に沿って配置しているが、シール部材を受け面の全面に配置しても同様の効果が得られる。
またこのように隙間ｇを設けることで、洗浄槽の左右両側壁１６ａ，１６ｂとの間に溝が形成され、洗浄液が外側に漏れてしまうことがさらに確実に防止される。
【００３０】
（フランジ変形例２）図１０の右フランジ３８ａは受け面３８αが右側壁１６ａ方向にやや内傾して設けられており、受け面３８αと右垂下壁１４ａの下面１４αとの間には多少の隙間が存在する。左フランジ３８ｃは受け面３８γが左側壁１６ｃ方向にやや内傾して設けられており、受け面３８γと左垂下壁１４ｃの下面１４γには多少の隙間が存在する。
このように受け面３８α，３８γをやや内傾させて下面１４α，１４γとの間に多少の隙間が存在するように設けることで、密閉に必要な当接精度を必要とすることなくより簡易な構成によって洗浄液が漏れることが防止できる。
【００３１】
（フランジ変形例３）図１１の右フランジ４８ａは受け面４８αの外周に立壁５０ａが設けられている。受け面４８αと右垂下壁１４ａの下面１４αには多少の隙間が存在し、また立壁５０ａの内面と右垂下壁１４ａの外面との間には多少の隙間が存在する。左フランジ４８ｃは受け面４８γの外周に立壁５０ｂが設けられている。受け面４８γと左垂下壁１４ｃの下面１４γとの間には多少の隙間が存在し、また立壁５０ｃの内面と右垂下壁１４ｃの外面との間には多少の隙間が存在する。
このように受け面４８α，４８γに立壁５０ａ，５０ｃを設け、下面１４α，１４γと受け面４８α，４８γとの間に多少の隙間が存在するように設けることで、密閉に必要な当接精度を必要とすることなく洗浄液が漏れることが防止できる。
なおこの例では、フランジが鉤型に形成されているが、フランジをＵの字型に形成しても同様の効果が得られる。また鉤型、Ｕの字型のいずれのフランジも、受け面の立壁の上面が、蓋の垂下壁の下面に対向するように構成することもできる。この場合、受け面の立壁の上面と蓋の垂下壁の下面とが当接する構成としてもよい。
【００３２】
（第２実施例）本発明を具現化した第２実施例の食器洗浄機について説明をする。図１２は、本実施例の食器洗浄機１００の洗浄槽１１６の概略斜視図を示す。ここでは主に、第１実施例の食器洗浄機１０との相違点について説明し、同様な構成については説明を省略する。なおこの図でも、通常において食器洗浄機が有する部品が適宜省略されている。
洗浄槽１１６の右フランジ１１８ａの受け面１１８αの後端と、左フランジ１１８ｃの受け面１１８γの後端には、それぞれ排出孔１１９ａ，１１９ｃが設けられている。排出孔１１９ａには誘導通路１２０ａの一端が接続され、排出孔１１９ｃには誘導通路１２０ｃの一端が接続されている。洗浄槽１１６は、通常の洗浄槽に設けられる、洗浄済み洗浄液を洗浄槽から排水する排水ポンプ１２２と、排水通路１２４を後側に有しており、誘導通路１２０ａ，１２０ｃの他端は排水ポンプ１２２よりも上流の排水通路１２４に接続されている。
【００３３】
洗浄槽１１６が、図１３（１）の引出し状態から（２）の収容状態に戻されると、蓋１１４の後垂下壁１１４ｂの内面と洗浄槽１１６の後壁１１６ｂの外面が当接する。また、後垂下壁１４ｂの下面１１４βが右フランジ１１８ａと左フランジ１１８ｃの受け面１１８α，１１８γの後端部に当接する。加えて、蓋１１４の前枠１１４ｄによって形成される前面開口は、扉１１７（閉塞体）で閉塞される。このため洗浄槽１１６は蓋１１４で密閉され、フランジ１１８ａの受け面１１８αを後方に誘導された洗浄液は、フランジ１１８ａの受け面１１８αの後端より後ろへは移動しない。フランジ１１８ａの受け面１１８αの後端まで誘導された洗浄液は、排出孔１１９ａから誘導通路１２０ａを通って排水通路１２４へ導出され、排水ポンプ１２２の働きによって本体１１２の外へ排水される。
【００３４】
以上のように、本実施例の食器洗浄機では、通常の食器洗浄機に備えられている排出ポンプ等を活用することによって、フランジで受けた洗浄液を確実に排水することができる。
【００３５】
（排出孔と誘導通路の変形例）次に、図１４の概略側断面図を参照して、排出孔と誘導通路の変形例を説明する。ここでは主に、前記した排出孔１１９ａ，１１９ｃと誘導通路１２０ａ，１２０ｃとの相違点について説明し、その他の同様な構成については同一符号を付すことによって説明を省略する。
排出孔１２９ａは蓋１２４の右垂下壁１２４ａの後端部に設けられている。排出孔１２９ａには誘導通路１３０ａの一端が接続されている。また排水ポンプ１２２の上流の排水通路１２４には誘導通路１３０ａの他端が接続されている。洗浄槽１１６が、（１）の引出し状態から（２）の収容状態に戻されると、蓋１２４の後垂下壁１２４ｂの内面と洗浄槽１１６の後壁１１６ｂの外面が当接する。また、後垂下壁１２４ｂの下面１２４βが右フランジ１２８ａと左フランジ１２８ｃの受け面１２８α，１２８γの後端に当接する。このため、フランジ１２８ａの受け面１２８αを後方に誘導された洗浄液は後垂下壁１２４ｂの内面で停止され、フランジ１２８ａの受け面１２８αの後端より後ろへは移動しない。フランジ１２８ａの受け面１２８αの後端まで誘導された洗浄液は、排出孔１２９ａから誘導通路１３０ａを通って排水通路１２４へ導出され、排水ポンプ１２２の働きによって本体１１２の外へ排水される。
このような構成によって、通常の食器洗浄機に備えられている排水ポンプ等を活用することによって、フランジで受けた洗浄液を確実に排出することができる。
なおこの構成は、各フランジの受け面に蓋の各垂下壁の下面が当接する場合に適用することができる。
【００３６】
（第３実施例）本発明を具現化した第３実施例の食器洗浄機について説明をする。図１５は、本実施例の食器洗浄機２００の洗浄槽２１６の概略斜視図を示す。ここでは主に、第１実施例の食器洗浄機１０、第２実施例の食器洗浄機１００との相違点について説明し、同様な構成については説明を省略する。なおこの図でも、通常において食器洗浄機が有する部品が適宜省略されている。
洗浄槽２１６の後壁２１６ｂには、後フランジ２１８ｂが設けられている。後フランジ２１８ｂは、右フランジ２１８ａと左フランジ２１８ｃの後端を連結した直線状に水平に設けられている。洗浄槽１６の後壁２１６ｂには、後フランジ２１８ｂの受け面２１８βよりも上に排出孔２１９ｂが設けられている。
洗浄槽２１６の前壁２１６ｄからは、拡大壁２１６ｈが連続して延設されている。拡大壁２１６ｈは、洗浄槽２１６の前壁２１６ｄから上方と左右に延設されており、左右では少なくともフランジ２１８ａ，２１８ｃより上側で延設されている。拡大壁２１６は蓋２１４の前枠２１４ｄに当接し、蓋２１４の前面開口を閉塞する閉塞体となる。
【００３７】
図１６は、蓋２１４と洗浄槽２１６の収容状態の右側後部の側断面図である。なお、蓋２１４と洗浄槽２１６の左側後部も同様の構成となっているため、重複説明を省略する。
本実施例でも、収容状態においては拡大壁２１６ｈ（閉塞体）が蓋２１４の前面開口を閉塞するが、蓋２１４の後垂下壁２１４ｂの内面と洗浄槽２１６の後壁２１６ｂの外面との間には隙間が存在している。洗浄槽２１６の上部開口２１６ｆから後壁２１６ｂの外面に漏洩し、後フランジ２１８ｂの受け面２１８βで受けられた漏洩洗浄液は、排出孔２１９ｂから洗浄槽１６内に導入される。それと共に、フランジ２１８ａの受け面２１８αやフランジ２１８ｃの受け面２１８γを後方に誘導された洗浄液も、排出孔２１９ｂから洗浄槽１６内に導入される。
洗浄槽２１６の後壁２１６ｂの内面に、排出孔２１９ｂに対する前面逆流防止部２２０ｂと下面逆流防止部２２２ｂが設けられている。前面逆流防止部２２０ｂによって排出孔２１９ｂに流入しようとする洗浄液が遮断され、下面逆流防止部２２２ｂによって後壁２１６ｂの内面を伝って上昇する洗浄液が返される。
【００３８】
以上のように、本実施例の食器洗浄機では、後フランジが設けられているために、蓋の後垂下壁の内面と洗浄槽の後壁の外面との間に隙間が存在していても、洗浄槽の上部開口から後壁の外面に漏洩した洗浄液を後フランジで受けることができる。また洗浄槽の後壁に排出孔が設けられているために、フランジの受け面を後方に誘導された洗浄液を、洗浄槽に導入することができる。
また後フランジが設けられているために、蓋の後垂下壁の内面と洗浄槽の後壁の外面との間に隙間を存在させることができる。この結果、蓋の前面開口だけが閉塞体によって密接に閉塞されればよく、後垂下壁も洗浄槽の後壁と密接に当接しなければならないのに比して、より確実に前面開口を閉塞することができ、密閉に必要な当接精度が不要となる。
なお、本実施例でも、洗浄槽の左右両側壁において、左右フランジの受け面の後端部よりも上にそれぞれ排出孔を設けることができる。
【００３９】
（後垂下壁の変形例）
次に、図１７の側断面図を参照して、後垂下壁の変形例を説明する。ここでは主に、前記した後垂下壁２１４ｂとの相違点について説明し、その他の同様な構成については同一符号を付すことによって説明を省略する。
蓋２２４の後垂下壁２２４ｂの内面と洗浄槽の後壁２１６ｂの外面は密接に当接する。排出孔２１９ｂを有効に機能させるために、排出孔２１９ｂと同じ高さの位置において後垂下壁２２４ｂの内面に凹部を設けて後垂下壁２２４ｂを薄くしている。後垂下壁２２４ｂが薄くなった凹部では、洗浄槽２１６の後壁２１６ｂの外面との間に隙間が存在し、フランジ２１８ａ，２１８ｃで受けた洗浄液を誘導することができる。誘導された洗浄液は、排出孔２１９ｂによって洗浄槽２１６に排出される。
【００４０】
（第４実施例）本発明を具現化した第４実施例の食器洗浄機について説明をする。図１８は、本実施例の食器洗浄機３００の洗浄槽３１６の概略斜視図を示す。ここでは主に、第３実施例の食器洗浄機２００との相違点について説明し、同様な構成については説明を省略する。なおこの図でも、通常において食器洗浄機が有する部品が適宜省略されている。
本実施例でも、洗浄槽３１６の前壁３１６ｄから拡大壁３１６ｈが連続して延設されている。拡大壁３１６ｈは蓋２１４の前枠２１４ｄに当接し、蓋２１４の前面開口を閉塞する閉塞体となる。
洗浄槽３１６の後壁３１６ｂには、後フランジ３１８ｂが設けられている。後フランジ３１８ｂは、右フランジ３１８ａと左フランジ３１８ｃの後端を連結した直線状に水平に設けられている。
後フランジ３１８ｂの受け面３１８βには、排出孔３１９ｂが設けられている。排出孔３１９ｂには誘導通路３２０ｂの一端が接続されている。洗浄槽３１６には、通常の洗浄槽に設けられている、洗浄済み洗浄液を洗浄槽から排水する排水ポンプ３２２と、排水通路３３４を後側に有しており、誘導通路３２０ｂの他端は排水ポンプ３２２よりも上流の排水通路３２４に接続されている。
【００４１】
以上のように、本実施例の食器洗浄機では、後フランジを設け、そこに排出孔が設けられているため、誘導通路が１本で足り、排出手段の構造を簡単にすることができる。
なお本実施例においても、図１６のように蓋の後垂下壁の内面と洗浄槽の後壁の外面との間に隙間が存在する場合や、図１７のように後垂下壁の内面と洗浄槽の後壁の外面とが密接に当接する場合がある。また、洗浄槽の右フランジの受け面の後端と、左フランジの受け面の後端に、それぞれ排出孔を設け、それぞれの排出孔に誘導通路の一端を接続することによって、排水能力を高めることができる。
【００４２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
・第３実施例、第４実施例の他のいずれの実施例においても、洗浄槽の前壁から拡大壁を連続して延設することができる。
・第１実施例の他のいずれの実施例においても、図６で説明した排出孔に対する前面逆流防止部や下面逆流防止部を採用することができる。
・いずれの実施例においても、図８で説明した洗浄槽に設けられた返し部や蓋に設けられた返し部を採用することができる。
・いずれの実施例においても、図９〜図１１や段落番号〔００３１〕の末尾で説明したフランジを採用することができる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００４３】
【図１】食器洗浄機の洗浄槽が本体に収容された状態を示す図である。
【図２】食器洗浄機の洗浄槽が本体から引出された状態を示す図である。
【図３】蓋と洗浄槽の概略分解斜視図である。
【図４】蓋と洗浄槽の概略分解斜視図である。
【図５】蓋と洗浄槽の収容状態の概略断面図である。
【図６】蓋と洗浄槽の収容状態の右側後部を説明する図である。
【図７】洗浄槽の動作を示す概略側断面図である。
【図８】蓋と洗浄槽の変形例の断面図である。
【図９】フランジの変形例の断面図である。
【図１０】フランジの変形例の断面図である。
【図１１】フランジの変形例の断面図である。
【図１２】第２実施例の洗浄槽の概略斜視図である。
【図１３】第２実施例の洗浄槽の動作を示す概略側断面図である。
【図１４】排出孔と誘導通路の変形例の概略側断面図である。
【図１５】第３実施例の洗浄槽の概略斜視図である。
【図１６】蓋と洗浄槽の収容状態の右側後部の断面図である。
【図１７】後垂下壁の変形例の断面図である。
【図１８】第４実施例の洗浄槽の概略斜視図である。
【図１９】従来の蓋と洗浄槽の側面図である。
【符号の説明】
【００４４】
１０：食器洗浄機、
１２：本体、
１４：洗浄槽の蓋、
１６：洗浄槽、
１８：フランジ、
１７：扉、
１９：排出孔
【図１】
2005118079.tif 000003
【図２】
2005118079.tif 000004
【図３】
2005118079.tif 000005
【図４】
2005118079.tif 000006
【図５】
2005118079.tif 000007
【図６】
2005118079.tif 000008
【図７】
2005118079.tif 000009
【図８】
2005118079.tif 000010
【図９】
2005118079.tif 000011
【図１０】
2005118079.tif 000012
【図１１】
2005118079.tif 000013
【図１２】
2005118079.tif 000014
【図１３】
2005118079.tif 000015
【図１４】
2005118079.tif 000016
【図１５】
2005118079.tif 000017
【図１６】
2005118079.tif 000018
【図１７】
2005118079.tif 000019
【図１８】
2005118079.tif 000020
【図１９】
2005118079.tif 000021